【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行う遊技機に併設された各台装置であって、
関連付けられている価値情報を特定可能な記憶媒体を受け付ける記憶媒体受付手段と、
前記記憶媒体受付手段にて受け付けた記憶媒体に関連付けられた価値情報を特定する価値情報特定手段と、
前記価値情報特定手段にて特定された価値情報を記憶する価値情報記憶手段と、
入金又は遊技媒体の計数処理によって価値情報を更新する価値情報更新手段と、
前記価値情報記憶手段に記憶された価値情報についての所定の条件に基づいて、入金を禁止する入金禁止手段と、
前記入金禁止手段にて入金を禁止した後、遊技客による所定の操作に基づいて、入金を可能とする入金禁止解除手段と
を備えたことを特徴とする各台装置。
【請求項２】
前記入金禁止手段は、受け付けた貨幣を返却することにより、入金を禁止することを特徴とする請求項１に記載の各台装置。
【請求項３】
前記入金禁止手段は、貨幣の受け付けを禁止することにより、入金を禁止することを特徴とする請求項１に記載の各台装置。
【請求項４】
入金が可能である場合に、所定の表示を行う表示制御手段をさらに備えたことを特徴とする請求項１〜３のいずれか一つに記載の各台装置。
【請求項５】
複数の貸出レートの遊技媒体のうち、使用する遊技媒体の遊技客による選択を受け付ける選択受付手段をさらに備えたことを特徴とする請求項１〜４のいずれか一つに記載の各台装置。
【請求項６】
関連付けられている価値情報を特定可能な記憶媒体を受け付ける記憶媒体受付手段と、
前記記憶媒体受付手段にて受け付けた記憶媒体に関連付けられた価値情報を特定する価値情報特定手段と、
前記価値情報特定手段にて特定された価値情報を記憶する価値情報記憶手段と、
入金又は遊技媒体の計数処理によって価値情報を更新する価値情報更新手段と
を備えた各台装置と、
前記記憶媒体の価値情報を管理し、前記各台装置と通信可能な管理装置と
を有する遊技システムであって、
前記価値情報記憶手段に記憶された価値情報についての所定の条件に基づいて、入金を禁止する入金禁止手段と、
前記入金禁止手段にて入金を禁止した後、遊技客による所定の操作に基づいて、入金を可能とする入金禁止解除手段と
を備えたことを特徴とする遊技システム。
【請求項７】
遊技媒体を用いて遊技を行う遊技機に併設された各台装置による価値情報管理方法であって、
関連付けられている価値情報を特定可能な記憶媒体を受け付ける記憶媒体受付ステップと、
前記記憶媒体受付ステップにて受け付けた記憶媒体に関連付けられた価値情報を特定する価値情報特定ステップと、
前記価値情報特定ステップにて特定された価値情報を価値情報記憶部に記憶する価値情報記憶ステップと、
入金又は遊技媒体の計数処理によって価値情報を更新する価値情報更新ステップと、
前記価値情報記憶部に記憶された価値情報についての所定の条件に基づいて、入金を禁止する入金禁止ステップと、
前記入金禁止ステップにて入金を禁止した後、遊技客による所定の操作に基づいて、入金を可能とする入金禁止解除ステップと
を含んだことを特徴とする価値情報管理方法。
【手続補正２】
【補正対象書類名】明細書
【補正対象項目名】発明の名称
【補正方法】変更
【補正の内容】
【発明の名称】各台装置、遊技システム及び価値情報管理方法
【手続補正３】
【補正対象書類名】明細書
【補正対象項目名】０００１
【補正方法】変更
【補正の内容】
【０００１】
この発明は、遊技媒体を用いて遊技を行う遊技機に併設された各台装置、遊技システム及び価値情報管理方法に関する。
【手続補正４】
【補正対象書類名】明細書
【補正対象項目名】０００６
【補正方法】変更
【補正の内容】
【０００６】
ところで、各台装置による入金の受け付けは利便性に問題があった。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
これらのことから、各台装置において、いかにして入金受付の利便性を向上するかが重要な課題となっている。
【手続補正１０】
【補正対象書類名】明細書
【補正対象項目名】００１２
【補正方法】変更
【補正の内容】
【００１２】
本発明は、上述した従来技術の課題を解決するためのものであって、各台装置において、入金受付の利便性を向上することのできる各台装置、遊技システム及び価値情報管理方法を提供することを目的とする。
【手続補正１１】
【補正対象書類名】明細書
【補正対象項目名】００１３
【補正方法】変更
【補正の内容】
【００１３】
上述した課題を解決し、目的を達成するため、本発明は、遊技媒体を用いて遊技を行う遊技機に併設された各台装置であって、関連付けられている価値情報を特定可能な記憶媒体を受け付ける記憶媒体受付手段と、前記記憶媒体受付手段にて受け付けた記憶媒体に関連付けられた価値情報を特定する価値情報特定手段と、前記価値情報特定手段にて特定された価値情報を記憶する価値情報記憶手段と、入金又は遊技媒体の計数処理によって価値情報を更新する価値情報更新手段と、前記価値情報記憶手段に記憶された価値情報についての所定の条件に基づいて、入金を禁止する入金禁止手段と、前記入金禁止手段にて入金を禁止した後、遊技客による所定の操作に基づいて、入金を可能とする入金禁止解除手段とを備えたことを特徴とする。
【手続補正１２】
【補正対象書類名】明細書
【補正対象項目名】００１４
【補正方法】変更
【補正の内容】
【００１４】
また、本発明は、上記発明において、前記入金禁止手段は、受け付けた貨幣を返却することにより、入金を禁止することを特徴とする。
【手続補正１３】
【補正対象書類名】明細書
【補正対象項目名】００１５
【補正方法】変更
【補正の内容】
【００１５】
また、本発明は、上記発明において、前記入金禁止手段は、貨幣の受け付けを禁止することにより、入金を禁止することを特徴とする。
【手続補正１４】
【補正対象書類名】明細書
【補正対象項目名】００１６
【補正方法】変更
【補正の内容】
【００１６】
また、本発明は、上記発明において、入金が可能である場合に、所定の表示を行う表示制御手段をさらに備えたことを特徴とする。
【手続補正１５】
【補正対象書類名】明細書
【補正対象項目名】００１７
【補正方法】変更
【補正の内容】
【００１７】
また、本発明は、上記発明において、複数の貸出レートの遊技媒体のうち、使用する遊技媒体の遊技客による選択を受け付ける選択受付手段をさらに備えたことを特徴とする。
【手続補正１６】
【補正対象書類名】明細書
【補正対象項目名】００１８
【補正方法】変更
【補正の内容】
【００１８】
また、本発明は、関連付けられている価値情報を特定可能な記憶媒体を受け付ける記憶媒体受付手段と、前記記憶媒体受付手段にて受け付けた記憶媒体に関連付けられた価値情報を特定する価値情報特定手段と、前記価値情報特定手段にて特定された価値情報を記憶する価値情報記憶手段と、入金又は遊技媒体の計数処理によって価値情報を更新する価値情報更新手段とを備えた各台装置と、前記記憶媒体の価値情報を管理し、前記各台装置と通信可能な管理装置とを有する遊技システムであって、前記価値情報記憶手段に記憶された価値情報についての所定の条件に基づいて、入金を禁止する入金禁止手段と、前記入金禁止手段にて入金を禁止した後、遊技客による所定の操作に基づいて、入金を可能とする入金禁止解除手段とを備えたことを特徴とする。
【手続補正１７】
【補正対象書類名】明細書
【補正対象項目名】００１９
【補正方法】変更
【補正の内容】
【００１９】
また、本発明は、遊技媒体を用いて遊技を行う遊技機に併設された各台装置による価値情報管理方法であって、関連付けられている価値情報を特定可能な記憶媒体を受け付ける記憶媒体受付ステップと、前記記憶媒体受付ステップにて受け付けた記憶媒体に関連付けられた価値情報を特定する価値情報特定ステップと、前記価値情報特定ステップにて特定された価値情報を価値情報記憶部に記憶する価値情報記憶ステップと、入金又は遊技媒体
の計数処理によって価値情報を更新する価値情報更新ステップと、前記価値情報記憶部に記憶された価値情報についての所定の条件に基づいて、入金を禁止する入金禁止ステップと、前記入金禁止ステップにて入金を禁止した後、遊技客による所定の操作に基づいて、入金を可能とする入金禁止解除ステップとを含んだことを特徴とする。
【手続補正１８】
【補正対象書類名】明細書
【補正対象項目名】００２０
【補正方法】変更
【補正の内容】
【００２０】
本発明によれば、各台装置において、入金受付の利便性を向上することができる。
【手続補正１９】
【補正対象書類名】明細書
【補正対象項目名】００２２
【補正方法】変更
【補正の内容】
【００２２】
以下に、添付図面を参照して、本発明に係る各台装置、遊技システム及び価値情報管理方法の好適な実施例を詳細に説明する。以下に示す実施例では、遊技媒体を遊技玉として説明するが、遊技媒体が遊技玉以外のメダル等である場合にも同様に適用することができる。
【手続補正２０】
【補正対象書類名】明細書
【補正対象項目名】０１８０
【補正方法】変更
【補正の内容】
【０１８０】
以上のように、本発明に係る各台装置、遊技システム及び価値情報管理方法は、各台装置において、入金受付の利便性を向上する場合に適している。